(57)【要約】      （修正有）【課題】枠組足場内が外部から視認できると共に、施工が容易で、軽量、且つ、簡素な構成の枠組足場用妻面幅木を提供する。【解決手段】妻面幅木本体３３と、妻面幅木本体３３の上部両端部に、夫々妻面幅木本体３３の長手方向に所定長さ摺動自在に取り付けた摺動体３４と、建枠３の両脚柱１１内側下部に突設して設けられた筋違取付け用ロックピン１３に取り付けるべく、摺動体３４に固着させ、上方に突設させたブラケット３５と、建枠３の両脚柱１１上端に横架される横材１２に係止させるべく、妻面幅木本体３３の下部両端に突設させたフック３６とを備える。ブラケット３５には、筋違取付け用ロックピン１３を嵌挿させる嵌挿孔が開穿されている。妻面幅木本体３３は、外枠体３８内に網部３９が張設されている。【選択図】図４
0003154409.tif 000002
【実用新案登録請求の範囲】
【請求項１】
妻面幅木本体と、前記妻面幅木本体の上部両端部に、夫々前記妻面幅木本体の長手方向に所定長さ摺動自在に取り付けた摺動体と、建枠の両脚柱内側下部に突設して設けられた筋違取付け用ロックピンに取り付けるべく、前記摺動体に固着させ、上方に突設させたブラケットと、前記建枠の両脚柱上端に横架される横材に係止させるべく、前記幅木本体の下部両端に突設させたフックとを備えたことを特徴とする枠組足場用妻面幅木。
【請求項２】
前記ブラケットには、前記筋違取付け用ロックピンを嵌挿させる嵌挿孔が開穿されていることを特徴とする請求項１記載の枠組足場用妻面幅木。
【請求項３】
前記妻面幅木本体は、前記妻面幅木本体の外枠体内に網部が張設されていることを特徴とする請求項１又は２記載の枠組足場用妻面幅木。
【考案の詳細な説明】
【技術分野】
【０００１】
本考案は、施工が容易で、軽量、且つ、簡素な構成の枠組足場用妻面幅木に関するものである。
【背景技術】
【０００２】
図１２に於いて、１は、従来例の一例の枠組足場を示し、枠組足場１は、敷板２上に立設させた既製の複数の建枠３を、鋼製布板４と筋違５と適宜接合金具とを用いて所定長さ、所定高さに組み立て、その組み立てた構築体中に、昇降するための階段枠６を適宜組込み、最上段の建枠３には、複数の親綱支柱７を立設し、親綱支柱７間に親綱８を張設したものである。
尚、図１２に於いて、９は根がらみをとるための単管パイプであり、１段目の建枠３を組み立てるときに取り付ける。
【０００３】
図１３は前記建枠３を示し、建枠３は、両脚柱１１の上端に横材１２が両端を固着されて掛架されている。
建枠３には、筋違５を取り付けるため、左右の脚柱１１の内側上部と内側下部に筋違取付け用ロックピン１３が設けられている。
【０００４】
図１４は前記建枠３の上下方向の組み立て方法を示しており、下段の建枠３と上段の建枠３とは下段の建枠３の両脚柱１１の上端と、上段の建枠３の両脚柱１１の下端とに挿入されるロック付連結ピン１４によって夫々接続され、上段の建枠３の両脚柱１１の内側下部に設けられた筋違取付け用ロックピン１３と、下段の建枠３の両脚柱１１の内側上部に設けられた筋違取付け用ロックピン１３とにアームロック１５が掛架され、上段の建枠３と下段の建枠３とを連結するロック付連結ピン１４の連結が外れることを防止している。
【０００５】
図１５（ａ）は、前記筋違取付け用ロックピン１３の拡大図であり、ロックピン本体１６の先端部に設けた留めピン１７の先端が常時付勢されてロックピン本体１６の外周から突出していることにより、筋違５の取り付けが外れない構成となっている。筋違５を外す時は留めピン１７を押し込めば良い。尚、アームロック１５も同様に筋違取付け用ロックピン１３に取り付けられる。
図１５（ｂ）は、前記筋違取付け用ロックピン１３に代えて設けることができる他の筋違取付け用ロックピン１８を示し、筋違取付け用ロックピン１８は、留めピン１９がロックピン本体１６の先端部に回動自在に設けられ、ロックピン本体１６に対して平行状態又は直交状態の回動位置になった時、付勢されてその回動位置を保持するように構成されている。
直交状態の回動位置になった時、留めピン１９がロックピン本体１６から突出して筋違５の取り付けが外れない構成となっており、筋違５を外す時は留めピン１９をロックピン本体１６に対して平行状態にすれば良い。
【０００６】
前記枠組足場に於いては、従来から安全確保のため枠組足場の桁面（桁側）及び妻面（妻側）に幅木を取り付けていた。そして、従来の幅木は、例えば桁面幅木の場合、鋼製足場板等を番線で結束する等、鋼製足場板等を幅木として活用することが多く、妻面幅木の場合は、鋼製足場板を適宜長さに切断したものや、その他の板状体等を番線で結束することが多かった。
然しながら、鋼製足場板等を幅木として活用する場合、番線の結束が煩雑であり、或いは、継ぎ部は重ね結束となり見栄えも悪かった。
また、鋼製足場板は、重量的に７ｋｇ／枚程度の重さがあり、鋼製足場板等を幅木として活用する場合、その重さによる作業性の悪化を招いていた。
一方、アルミ製の幅木が存在しているが、取り扱いに問題があり、又、コスト高となるという問題があった。
【０００７】
此種技術の先行文献として、例えば、特許文献１があり、特許文献１には、建枠の相対向する縦材とその横材の両端部との夫々のコーナー部に取り付けてある足場板規制金具の横断面コ字状妻側幅木取付部に、妻側幅木の両端部を夫々嵌合することによって、妻側幅木を建枠の横材に沿った位置に取り付けることが記載されている。
【先行技術文献】
【特許文献】
【０００８】
【特許文献１】特開２００３−２３９５３０号公報
【考案の概要】
【考案が解決しようとする課題】
【０００９】
前述したように、鋼製足場板等を活用した幅木は、番線の結束が煩雑であり、或いは、継ぎ部が重ね結束となり見栄えも悪く、重くて作業性の悪いものであった。
又、アルミ製の幅木は、取り扱い上の問題や、コスト高となる問題があった。
更に、特許文献１は、建枠の横材に沿った位置に妻側幅木を比較的容易に取り付けることができるが、建枠の相対向する縦材とその横材の両端部との夫々のコーナー部に足場板規制金具を取り付けるものであり、足場板規制金具の製作がコスト高となり、足場板規制金具を取り付ける手間がかかるという問題がある。
【００１０】
以上の現状に鑑み、本考案は、枠組足場内が外部から視認できると共に、施工が容易で、軽量、且つ、簡素な構成の枠組足場用妻面幅木を提供することを目的とする。
【課題を解決するための手段】
【００１１】
上記の課題を解決すべく、本考案は以下の構成を提供する。
請求項１に係る考案は、妻面幅木本体と、前記妻面幅木本体の上部両端部に、夫々前記妻面幅木本体の長手方向に所定長さ摺動自在に取り付けた摺動体と、建枠の両脚柱内側下部に突設して設けられた筋違取付け用ロックピンに取り付けるべく、前記摺動体に固着させ、上方に突設させたブラケットと、前記建枠の両脚柱上端に横架される横材に係止させるべく、前記妻面幅木本体の下部両端に突設させたフックとを備えたことを特徴とする枠組足場用妻面幅木を提供するものである。
【００１２】
請求項２に係る考案は、前記ブラケットには、前記筋違取付け用ロックピンを嵌挿させる嵌挿孔が開穿されていることを特徴とする請求項１記載の枠組足場用妻面幅木を提供するものである。
【００１３】
請求項３に係る考案は、前記妻面幅木本体は、前記妻面幅木本体の外枠体内に網部が張設されていることを特徴とする請求項１又は２記載の枠組足場用妻面幅木を提供するものである。
【考案の効果】
【００１４】
本考案の請求項１記載の考案によれば、施工が容易で、軽量、且つ、簡素な構成の枠組足場用妻面幅木を提供することができる。
【００１５】
請求項２記載の考案によれば、請求項１記載の考案の効果に加え、筋違取付け用ロックピンを嵌挿孔に嵌挿させることにより、ブラケットを容易に筋違取付け用ロックピンに取り付けることができ、枠組足場用妻面幅木の取付が極めて容易である。
【００１６】
請求項３記載の考案によれば、外枠体内に網部が張設されているので、網部を通して外部から枠組足場内の整理・整頓や清掃状況を視認でき、安全衛生上、極めて効果的である。
【図面の簡単な説明】
【００１７】
【図１】本考案による枠組足場用妻面幅木を枠組足場に取り付けた状態を示す斜視図である。
【図２】（ａ）本考案による枠組足場用妻面幅木の正面図である。（ｂ）本考案による枠組足場用妻面幅木の平面図である。（ｃ）本考案による枠組足場用妻面幅木の側面図である。
【図３】本考案による枠組足場用妻面幅木を枠組足場に取り付ける状態を示す正面図である。
【図４】本考案による枠組足場用妻面幅木を枠組足場に取り付けた状態を示す正面図である。
【図５】本考案による枠組足場用妻面幅木を枠組足場に取り付けた状態を示す一部切欠側面図である。
【図６】本考案による枠組足場用妻面幅木の取り付けた状態を枠組足場内から写した写真である。
【図７】本考案による枠組足場用妻面幅木の取り付けた状態を枠組足場外から写した写真である。
【図８】本考案による枠組足場用妻面幅木の取り付けた状態を枠組足場内から写した拡大写真である。
【図９】本考案による枠組足場用妻面幅木を枠組足場に取り付ける状態を写した写真である。
【図１０】本考案による枠組足場用妻面幅木を枠組足場に取り付ける状態を写した拡大写真である。
【図１１】本考案による枠組足場用妻面幅木を枠組足場に取り付けた状態を写した拡大写真である。
【図１２】従来例の枠組足場の斜視図である。
【図１３】従来例の建枠の正面図である。
【図１４】従来例の建枠を上下方向に組み立てる場合の説明図である。
【図１５】（ａ）従来例の筋違取付け用ロックピンの正面図である。（ｂ）従来例の他の筋違取付け用ロックピンの正面図である。
【考案を実施するための形態】
【００１８】
以下、実施例を示した図面を参照しつつ本考案の実施の形態を説明する。尚、説明の都合上、従来例と同一構成部分については同一符号を付してその説明を省略する。
【実施例１】
【００１９】
図１に於いて、３１は、枠組足場１に取り付けた本考案による枠組足場用妻面幅木を示す。
枠組足場用妻面幅木３１は、図１に示す如く、枠組足場用桁面幅木３２が、最下段を除く建枠３の脚部の枠組足場１の桁側（図１に於いて、建枠３の左側及び右側脚部）に夫々取り付けられた後、或いは、取り付けられる前に、最下段を除く建枠３の脚部の枠組足場１の妻側（図１に於いて、左右建枠３の脚部）に夫々取り付けられる。
そして、枠組足場用桁面幅木３２と、枠組足場用妻面幅木３１は、枠組足場１の最下段を除く全ての段の建枠３の脚部に夫々順次取り付けられる。
【００２０】
枠組足場用妻面幅木３１は、図２に示す如く、略方形状の妻面幅木本体３３と、妻面幅木本体３３の上部両端部に、夫々妻面幅木本体３３の長手方向に所定長さ摺動自在に取り付けた摺動体３４と、建枠（図１に於いて３）の両脚柱（図１に於いて１１）内側下部に突設して設けられた筋違取付け用ロックピン（図３に於いて１３参照）に取り付けるべく、摺動体３４に固着させ、上方に突設させたブラケット３５と、建枠（図１に於いて３）の両脚柱（図１に於いて１１）上端に横架される横材（図３に於いて１２参照）に跨設させて係止させるべく、妻面幅木本体３３の下部両端部に逆Ｕ字状に突設させたフック３６とを備えている。
【００２１】
更に、前記ブラケット３５は、摺動体３４上部に固着される水平板３５ａと、水平板３５ａの端部から垂直に立設する垂直板３５ｂとから成る折曲板で構成され、垂直板３５ｂには、その略中央部に筋違取付け用ロックピン（図３に於いて１３参照）を嵌挿させる嵌挿孔３７が開穿されている。
又、前記妻面幅木本体３３は、妻面幅木本体３３の外枠を構成する外枠体３８内に網部３９が、前記摺動体３４の摺動に干渉する部分を除き、略全面に及んで張設されている。
網部３９は、例えばエキスパンドメタルによって形成されるが、所定の強度を有するその他の網体であっても良い。
【００２２】
図３及び図４は、前記枠組足場用妻面幅木３１の取付け方法を示しており、先ず、図３に示す如く、枠組足場用妻面幅木３１のフック３６を建枠３の横材１２に跨設するように載置して係止させ、摺動体３４を摺動させて、図４に示す如く、筋違取付け用ロックピン１３をブラケット３５の嵌挿孔３７に嵌挿させ、嵌挿後、筋違取付け用ロックピン１３を自動ロックさせることによりブラケット３５を取り付け、それによって枠組足場用妻面幅木３１を枠組足場１に取り付ける。
尚、枠組足場用妻面幅木３１を枠組足場１に取り付ける際には、予め、筋違取付け用ロックピン１３にアームロック１５、筋違５及び枠組足場用桁面幅木（図５に於いて３２）のブラケットを取り付けておく。
但し、枠組足場用桁面幅木（図５に於いて３２）のブラケットは、枠組足場用妻面幅木３１のブラケット３５を取り付けた後に取り付けることも可能である。
前述の如く、左右のフック３６が係止され、左右のブラケット３５が取り付けられことにより、枠組足場用妻面幅木３１は容易に、且つ、強固に枠組足場１に取り付けられる。
【００２３】
本考案の枠組足場用妻面幅木３１は、フック３６を横材１２に跨設するように載置して係止させ、ブラケット３５の嵌挿孔３７に筋違取付け用ロックピン１３を嵌挿させることにより枠組足場１に取り付けられるので、施工が極めて容易である。
又、本考案の枠組足場用妻面幅木３１は、外枠体３８内に略全面に及んで網部３９が張設されているので、網部３９を通して外部から枠組足場１内の整理・整頓や清掃状況を視認することができる。
【００２４】
図５は、枠組足場用妻面幅木３１が取り付けられた状態を枠組足場用妻面幅木３１の側面側から見た図である。図５に於いては、筋違取付け用ロックピン１３にアームロック１５及び筋違５が取り付けられた後、先に、枠組足場用桁面幅木３２のブラケットが取り付けられ、その後に、枠組足場用妻面幅木３１のブラケット３５が取り付けられた状態を示している。
又、枠組足場用妻面幅木３１のフック３６を建枠３の横材１２に跨設するように載置して係止させる場合に、先に、横材１２に鋼製布板４のフックが係止されるので、枠組足場用妻面幅木３１の外枠体３８の下端部が鋼製布板４のフック上に載置されることになり、図５に示すように、枠組足場用妻面幅木３１のフック３６が建枠３の横材１２の上面に当接状態で載置せず、フック３６が横材１２の上面からやや浮き上がった状態になるが、フック３６の下端部は横材１２に跨設状態で係止される。
【００２５】
図６乃至図１１は、試作した本考案の枠組足場用妻面幅木３１を取り付けた状態、或いは、取り付ける状態を写した写真である。
図６は、前図４と同じように、枠組足場用妻面幅木３１を枠組足場１の妻側に取り付けた状態を枠組足場１内から写した写真である。
図７は、前図４と同じように、枠組足場用妻面幅木３１の取り付けた状態を枠組足場１外から見た写真である。
【００２６】
図８は、前図４と同じように、枠組足場用妻面幅木３１を枠組足場１の妻側に取り付けた状態を枠組足場１内から見た拡大写真である。
図９は、前図３と同じように、枠組足場用妻面幅木３１を枠組足場１に取り付ける状態を写した写真であり、枠組足場用妻面幅木３１の摺動体３４を摺動させる前のブラケット３５に筋違取付け用ロックピン１３が嵌挿されていない状態を写した写真である。
図１０は、前図３と同じように、枠組足場用妻面幅木３１を枠組足場１に取り付ける状態を写した拡大写真であり、枠組足場用妻面幅木３１の摺動体３４を摺動させる前のブラケット３５に筋違取付け用ロックピン１３が嵌挿される前の状態を写した拡大写真である。
図１１は、前図４と同じように、枠組足場用妻面幅木３１を枠組足場１の妻側に取り付けた状態を枠組足場１内から見た拡大写真であり、枠組足場用妻面幅木３１の摺動体３４を摺動させ、ブラケット３５に筋違取付け用ロックピン１３を嵌挿させた状態を写した拡大写真である。
【符号の説明】
【００２７】
３  建枠
１１  脚柱
１２  横材
１３  筋違取付け用ロックピン
３１  枠組足場用妻面幅木
３３  妻面幅木本体
３４  摺動体
３５  ブラケット
３６  フック
３７  嵌挿孔
３８  外枠体
３９  網部
【図１】
0003154409.tif 000003
【図２】
0003154409.tif 000004
【図３】
0003154409.tif 000005
【図４】
0003154409.tif 000006
【図５】
0003154409.tif 000007
【図１２】
0003154409.tif 000008
【図１３】
0003154409.tif 000009
【図１４】
0003154409.tif 000010
【図１５】
0003154409.tif 000011
【図６】
0003154409.tif 000012
【図７】
0003154409.tif 000013
【図８】
0003154409.tif 000014
【図９】
0003154409.tif 000015
【図１０】
0003154409.tif 000016
【図１１】
0003154409.tif 000017